【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク上でパケットを送信する方法であって、
１つまたは複数の時空間ストリームを介して前記パケットのプリアンブルを送信することと、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して前記パケットのペイロードを送信することと、前記ペイロードが、第２のシンボル持続時間の１つまたは複数のシンボルを備え、前記第２のシンボル持続時間が、前記第１のシンボル持続時間よりも長く、前記第２のシンボル持続時間の前記１つまたは複数のシンボルが各々、第３の持続時間のサイクリックプレフィックスだけ互いに分離され、前記第１のシンボル持続時間が、前記第３の持続時間に少なくとも部分的に基づいて決定される、
を備える方法。
【請求項２】
前記第１のシンボル持続時間が３．２μｓであり、前記第２のシンボル持続時間が６．４μｓである、請求項１に記載の方法。
【請求項３】
前記第１のシンボル持続時間が６．４μｓであり、前記第２のシンボル持続時間が１２．８μｓである、請求項１に記載の方法。
【請求項４】
前記第３の持続時間が０．８μｓである、請求項１に記載の方法。
【請求項５】
前記第３の持続時間が０．４μｓである、請求項１に記載の方法。
【請求項６】
パケットのプリアンブルを生成することと、前記プリアンブルが、１つまたは複数の時空間ストリームを介して送信されるものであり、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記パケットのペイロードを生成することと、前記ペイロードが、前記１つまたは複数の時空間ストリームを介して送信されるものであり、前記ペイロードが、第２のシンボル持続時間の１つまたは複数のシンボルを備え、前記第２のシンボル持続時間が、前記第１のシンボル持続時間よりも長く、前記第２のシンボル持続時間の前記１つまたは複数のシンボルが各々、第３の持続時間のサイクリックプレフィックスだけ互いに分離され、前記第１のシンボル持続時間が、前記第３の持続時間に少なくとも部分的に基づいて決定される、
を行うように構成されたプロセッサと、
前記パケットを送信するように構成された送信機と
を備えるワイヤレス通信装置。
【請求項７】
前記第１のシンボル持続時間が３．２μｓであり、前記第２のシンボル持続時間が６．４μｓである、請求項６に記載のワイヤレス通信装置。
【請求項８】
前記第１のシンボル持続時間が６．４μｓであり、前記第２のシンボル持続時間が１２．８μｓである、請求項６に記載のワイヤレス通信装置。
【請求項９】
前記第３の持続時間が０．８μｓである、請求項６に記載のワイヤレス通信装置。
【請求項１０】
前記第３の持続時間が０．４μｓである、請求項６に記載のワイヤレス通信装置。
【請求項１１】
実行されたとき、ワイヤレス通信ネットワークを介してパケットを送信する方法をデバイスの中のプロセッサに実行させる命令を備える非一時的コンピュータ可読媒体であって、前記方法が、
１つまたは複数の時空間ストリームを介して前記パケットのプリアンブルを送信することと、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して前記パケットのペイロードを送信することと、前記ペイロードが、第２のシンボル持続時間の１つまたは複数のシンボルを備え、前記第２のシンボル持続時間が、前記第１のシンボル持続時間よりも長く、前記第２のシンボル持続時間の前記１つまたは複数のシンボルが各々、第３の持続時間のサイクリックプレフィックスだけ互いに分離され、前記第１のシンボル持続時間が、前記第３の持続時間に少なくとも部分的に基づいて決定される、
を備える、非一時的コンピュータ可読媒体。
【請求項１２】
前記第１のシンボル持続時間が３．２μｓであり、前記第２のシンボル持続時間が６．４μｓである、請求項１１に記載のコンピュータ可読媒体。
【請求項１３】
前記第１のシンボル持続時間が６．４μｓであり、前記第２のシンボル持続時間が１２．８μｓである、請求項１１に記載のコンピュータ可読媒体。
【請求項１４】
前記第３の持続時間が０．８μｓである、請求項１１に記載のコンピュータ可読媒体。
【請求項１５】
前記第３の持続時間が０．４μｓである、請求項１１に記載のコンピュータ可読媒体。
【請求項１６】
１つまたは複数の時空間ストリームを介して送信されるパケットのプリアンブルを生成するための手段と、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して送信されるべき前記パケットのペイロードを生成するための手段と、前記ペイロードが、第２のシンボル持続時間の１つまたは複数のシンボルを備え、ここで、前記第２のシンボル持続時間が、前記第１のシンボル持続時間よりも長く、前記第２のシンボル持続時間の前記１つまたは複数のシンボルが各々、第３の持続時間のサイクリックプレフィックスだけ互いに分離され、前記第１のシンボル持続時間が、前記第３の持続時間に少なくとも部分的に基づいて決定される、
前記パケットを送信するための手段と
を備えるワイヤレス通信装置。
【請求項１７】
前記第１のシンボル持続時間が３．２μｓであり、前記第２のシンボル持続時間が６．４μｓである、請求項１６に記載のワイヤレス通信装置。
【請求項１８】
前記第１のシンボル持続時間が６．４μｓであり、前記第２のシンボル持続時間が１２．８μｓである、請求項１６に記載のワイヤレス通信装置。
【請求項１９】
前記第３の持続時間が０．８μｓである、請求項１６に記載のワイヤレス通信装置。
【請求項２０】
前記第３の持続時間が０．４μｓである、請求項１６に記載のワイヤレス通信装置。
【手続補正２】
【補正対象書類名】明細書
【補正対象項目名】０１１７
【補正方法】変更
【補正の内容】
【０１１７】
[0134]同様に、動作が特定の順序で図面に示されているが、これは、望ましい結果を達成するために、そのような動作が、示される特定の順序でもしくは順番に実施されることを、またはすべての図示の動作が実施されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明したプログラム構成要素およびシステムは、概して、単一のソフトウェア製品において互いに一体化されるか、または複数のソフトウェア製品にパッケージングされ得ることを理解されたい。加えて、他の実装形態が以下の特許請求の範囲内に入る。いくつかの場合には、特許請求の範囲に記載されるアクションは、異なる順序で実行され得、それでも望ましい結果を達成することができる。
以下に本願の出願当初の特許請求の範囲に記載された発明を付記する。
[Ｃ１]  ワイヤレス通信ネットワーク上でパケットを送信する方法であって、
１つまたは複数の時空間ストリームを介して前記パケットのプリアンブルを送信することと、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して前記パケットのペイロードを送信することと、前記ペイロードが、第２のシンボル持続時間の１つまたは複数のシンボルを備え、前記第２のシンボル持続時間が、前記第１のシンボル持続時間よりも長い、
を備える方法。
[Ｃ２]  前記第１のシンボル持続時間が３．２μｓであり、前記第２のシンボル持続時間が６．４μｓである、Ｃ１に記載の方法。
[Ｃ３]  前記第１のシンボル持続時間が６．４μｓであり、前記第２のシンボル持続時間が１２．８μｓである、Ｃ１に記載の方法。
[Ｃ４]  前記第１のシンボル持続時間の前記１つまたは複数のシンボルが、第３の持続時間のサイクリックプレフィックスによって先行され、ここにおいて、前記第２のシンボル持続時間の前記１つまたは複数のシンボルが、第４の持続時間のサイクリックプレフィックスによって先行され、ここにおいて、前記第２の持続時間の前記サイクリックプレフィックスが、前記第１の持続時間の前記サイクリックプレフィックスよりも長い、Ｃ１に記載の方法。
[Ｃ５]  前記第３の持続時間が０．８μｓであり、前記第４の持続時間が３．２μｓである、Ｃ４に記載の方法。
[Ｃ６]  前記第３の持続時間が０．４μｓであり、前記第４の持続時間が１．６μｓである、Ｃ４に記載の方法。
[Ｃ７]  前記第２のシンボル持続時間の前記１つまたは複数のシンボルが各々、第３の持続時間のサイクリックプレフィックスだけ互いに分離され、ここにおいて、前記第１のシンボル持続時間が、前記第３の持続時間に少なくとも部分的に基づいて決定される、Ｃ１に記載の方法。
[Ｃ８]    パケットのプリアンブルを生成することと、前記プリアンブルが、１つまたは複数の時空間ストリームを介して送信されるものであり、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記パケットのペイロードを生成することと、前記ペイロードが、前記１つまたは複数の時空間ストリームを介して送信されるものであり、前記ペイロードが、第２のシンボル持続時間の１つまたは複数のシンボルを備え、前記第２のシンボル持続時間が、前記第１のシンボル持続時間よりも長い、
を行うように構成されたプロセッサと、
前記パケットを送信するように構成された送信機と
を備えるワイヤレス通信装置。
[Ｃ９]  前記第１のシンボル持続時間が３．２μｓであり、前記第２のシンボル持続時間が６．４μｓである、Ｃ８に記載のワイヤレス通信装置。
[Ｃ１０]  前記第１のシンボル持続時間が６．４μｓであり、前記第２のシンボル持続時間が１２．８μｓである、Ｃ８に記載のワイヤレス通信装置。
[Ｃ１１]  前記第１のシンボル持続時間の前記１つまたは複数のシンボルが、前記第１の持続時間のサイクリックプレフィックスによって先行され、ここにおいて、前記第２のシンボル持続時間の前記１つまたは複数のシンボルが、前記第２の持続時間のサイクリックプレフィックスによって先行され、ここにおいて、前記第２の持続時間の前記サイクリックプレフィックスが、前記第１の持続時間の前記サイクリックプレフィックスよりも長い、Ｃ８に記載のワイヤレス通信装置。
[Ｃ１２]  前記第３の持続時間が０．８μｓであり、前記第４の持続時間が３．２μｓである、Ｃ１１に記載のワイヤレス通信装置。
[Ｃ１３]  前記第３の持続時間が０．４μｓであり、前記第４の持続時間が１．６μｓである、Ｃ１１に記載のワイヤレス通信装置。
[Ｃ１４]  前記第２のシンボル持続時間の前記１つまたは複数のシンボルが各々、第３の持続時間のサイクリックプレフィックスだけ互いに分離され、ここにおいて、前記第１のシンボル持続時間が、前記第３の持続時間に少なくとも部分的に基づいて決定される、Ｃ８に記載のワイヤレス通信装置。
[Ｃ１５]  実行されたとき、ワイヤレス通信ネットワークを介してパケットを送信する方法をデバイスの中のプロセッサに実行させる命令を備える非一時的コンピュータ可読媒体であって、前記方法が、
１つまたは複数の時空間ストリームを介して前記パケットのプリアンブルを送信することと、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して前記パケットのペイロードを送信することと、前記ペイロードが、第２のシンボル持続時間の１つまたは複数のシンボルを備え、前記第２のシンボル持続時間が、前記第１のシンボル持続時間よりも長い、
を備える、非一時的コンピュータ可読媒体。
[Ｃ１６]  前記第１のシンボル持続時間が３．２μｓであり、前記第２のシンボル持続時間が６．４μｓである、Ｃ１５に記載のコンピュータ可読媒体。
[Ｃ１７]  前記第１のシンボル持続時間が６．４μｓであり、前記第２のシンボル持続時間が１２．８μｓである、Ｃ１５に記載のコンピュータ可読媒体。
[Ｃ１８]  前記第１のシンボル持続時間の前記１つまたは複数のシンボルが、第３の持続時間のサイクリックプレフィックスによって先行され、ここにおいて、前記第２のシンボル持続時間の前記１つまたは複数のシンボルが、第４の持続時間のサイクリックプレフィックスによって先行され、ここにおいて、前記第２の持続時間の前記サイクリックプレフィックスが、前記第１の持続時間の前記サイクリックプレフィックスよりも長い、Ｃ１５に記載のコンピュータ可読媒体。
[Ｃ１９]  前記第３の持続時間が０．８μｓであり、前記第４の持続時間が３．２μｓである、Ｃ１８に記載のコンピュータ可読媒体。
[Ｃ２０]  前記第３の持続時間が０．４μｓであり、前記第４の持続時間が１．６μｓである、Ｃ１８に記載のコンピュータ可読媒体。
[Ｃ２１]  前記第２のシンボル持続時間の前記１つまたは複数のシンボルが各々、第３の持続時間のサイクリックプレフィックスだけ互いに分離され、ここにおいて、前記第１のシンボル持続時間が、前記第３の持続時間に少なくとも部分的に基づいて決定される、Ｃ１５に記載のコンピュータ可読媒体。
[Ｃ２２]  １つまたは複数の時空間ストリームを介して送信されるパケットのプリアンブルを生成するための手段と、前記プリアンブルが、チャネル推定のために使用されるように構成された１つまたは複数のトレーニングフィールドを含み、前記１つまたは複数のトレーニングフィールドが各々、第１のシンボル持続時間の１つまたは複数のシンボルを備える、
前記１つまたは複数の時空間ストリームを介して送信されるべき前記パケットのペイロードを生成するための手段と、前記ペイロードが、第２のシンボル持続時間の１つまたは複数のシンボルを備え、ここで、前記第２のシンボル持続時間が、前記第１のシンボル持続時間よりも長い、
前記パケットを送信するための手段と
を備えるワイヤレス通信装置。
[Ｃ２３]  前記第１のシンボル持続時間が３．２μｓであり、前記第２のシンボル持続時間が６．４μｓである、Ｃ２２に記載のワイヤレス通信装置。
[Ｃ２４]  前記第１のシンボル持続時間が６．４μｓであり、前記第２のシンボル持続時間が１２．８μｓである、Ｃ２２に記載のワイヤレス通信装置。
[Ｃ２５]  前記第１のシンボル持続時間の前記１つまたは複数のシンボルが、前記第１の持続時間のサイクリックプレフィックスによって先行され、ここにおいて、前記第２のシンボル持続時間の前記１つまたは複数のシンボルが、前記第２の持続時間のサイクリックプレフィックスによって先行され、ここにおいて、前記第２の持続時間の前記サイクリックプレフィックスが、前記第１の持続時間の前記サイクリックプレフィックスよりも長い、Ｃ２２に記載のワイヤレス通信装置。
[Ｃ２６]  前記第３の持続時間が０．８μｓであり、前記第４の持続時間が３．２μｓである、Ｃ２５に記載のワイヤレス通信装置。
[Ｃ２７]  前記第３の持続時間が０．４μｓであり、前記第４の持続時間が１．６μｓである、Ｃ２５に記載のワイヤレス通信装置。
[Ｃ２８]  前記第２のシンボル持続時間の前記１つまたは複数のシンボルが各々、第３の持続時間のサイクリックプレフィックスだけ互いに分離され、ここにおいて、前記第１のシンボル持続時間が、前記第３の持続時間に少なくとも部分的に基づいて決定される、Ｃ２２に記載のワイヤレス通信装置。
[Ｃ２９]  ワイヤレス通信ネットワーク上でパケットを送信する方法であって、
複数のトーンにわたるＮSTS個の時空間ストリームを介して前記パケットのプリアンブルを送信することと、前記プリアンブルが、前記複数の時空間ストリームの各々に対するチャネル推定のために使用されるように構成されたＮTF個のトレーニングフィールドを含み、ただし、ＮSTSが１よりも大きく、ＮTFがＮSTSよりも小さい、
前記ＮSTS個の時空間ストリームを介して前記パケットのペイロードを送信することと
を備える方法。
[Ｃ３０]  前記複数の時空間ストリームのうちの前記時空間ストリームの各々が、前記複数のトーンのサブセットで送信されるように、および前記複数のトーンのうちの各トーンが、前記複数の時空間ストリームのうちの厳密に１つによって続けて送信されるように、前記ＮTF個のトレーニングフィールドの各々が、前記複数のトーンを介して送信されるトーンインターリーブされたトレーニングフィールドである、Ｃ２９に記載の方法。
[Ｃ３１]  前記ＮTF個のトレーニングフィールドの各々が、前記複数のトーンを介して送信され、ここで、前記複数の時空間ストリームの各々が、複数のグループのうちのグループの一部であり、各グループが、直交行列に基づいて、前記複数のトーンのうちの前記トーンのサブセットへ送信する、Ｃ２９に記載の方法。
[Ｃ３２]  前記複数のグループのうちの各グループが、前記複数の時空間ストリームのうちの２つの時空間ストリーム、または前記複数の時空間ストリームのうちの４つの時空間ストリームのいずれかを含む、Ｃ３１に記載の方法。
[Ｃ３３]  ＮTFの値が、ＮSTSの値の約半分、または前記ＮSTSの値の約１／４のいずれかである、Ｃ２９に記載の方法。
[Ｃ３４]  前記プリアンブルと前記ペイロードの両方が、少なくとも１．６μｓまたは少なくとも１２．８μｓのいずれかのシンボル持続時間を用いて送信される、Ｃ２９に記載の方法。
[Ｃ３５]    複数のトーンにわたるＮSTS個の時空間ストリームを介してパケットのプリアンブルを生成することと、前記プリアンブルが、前記複数の時空間ストリームの各々に対するチャネル推定のために使用されるように構成されたＮTF個のトレーニングフィールドを含み、ただし、ＮSTSが１よりも大きく、ＮTFがＮSTSよりも小さい、
前記ＮSTS個の時空間ストリームを介して送信されるべき前記パケットのペイロードを生成することと
を行うように構成されたプロセッサと、
前記パケットを送信するように構成された送信機と
を備えるワイヤレス通信装置。
[Ｃ３６]  前記複数の時空間ストリームのうちの前記時空間ストリームの各々が、前記複数のトーンのサブセットで送信されるように、および前記複数のトーンのうちの各トーンが、前記複数の時空間ストリームのうちの厳密に１つによって続けて送信されるように、前記ＮTF個のトレーニングフィールドの各々が、前記複数のトーンを介して送信されるトーンインターリーブされたトレーニングフィールドである、Ｃ３５に記載のワイヤレス通信装置。
[Ｃ３７]  前記ＮTF個のトレーニングフィールドの各々が、前記複数のトーンを介して送信され、ここで、前記複数の時空間ストリームの各々が、複数のグループのうちのグループの一部であり、各グループが、直交行列に基づいて、前記複数のトーンのうちの前記トーンのサブセットへ送信する、Ｃ３５に記載のワイヤレス通信装置。
[Ｃ３８]  前記複数のグループのうちの各グループが、前記複数の時空間ストリームのうちの２つの時空間ストリーム、または前記複数の時空間ストリームのうちの４つの時空間ストリームのいずれかを含む、Ｃ３７に記載のワイヤレス通信装置。
[Ｃ３９]  ＮTFの値が、ＮSTSの値の約半分、またはＮSTSの前記値の約１／４のいずれかである、Ｃ３５に記載のワイヤレス通信装置。
[Ｃ４０]  前記プリアンブルと前記ペイロードの両方が、少なくとも１．６μｓまたは少なくとも１２．８μｓのいずれかのシンボル持続時間を用いて送信される、Ｃ３５に記載のワイヤレス通信装置。
[Ｃ４１]  実行されたとき、ワイヤレス通信ネットワークを介してパケットを送信する方法をデバイスの中のプロセッサに実行させる命令を備える非一時的コンピュータ可読媒体であって、前記方法が、
複数のトーンにわたるＮSTS個の時空間ストリームを介して前記パケットのプリアンブルを送信することと、前記プリアンブルが、前記複数の時空間ストリームの各々に対するチャネル推定のために使用されるように構成されたＮTF個のトレーニングフィールドを含み、ただし、ＮSTSが１よりも大きく、ＮTFがＮSTSよりも小さい、
前記ＮSTS個の時空間ストリームを介して前記パケットのペイロードを送信することと
を備える、非一時的コンピュータ可読媒体。
[Ｃ４２]  前記複数の時空間ストリームのうちの前記時空間ストリームの各々が、前記複数のトーンのサブセットで送信されるように、および前記複数のトーンのうちの各トーンが、前記複数の時空間ストリームのうちの厳密に１つによって続けて送信されるように、前記ＮTF個のトレーニングフィールドの各々が、前記複数のトーンを介して送信されるトーンインターリーブされたトレーニングフィールドである、Ｃ４１に記載のコンピュータ可読媒体。
[Ｃ４３]  前記ＮTF個のトレーニングフィールドの各々が、前記複数のトーンを介して送信され、ここで、前記複数の時空間ストリームの各々が、複数のグループのうちのグループの一部であり、各グループが、直交行列に基づいて、前記複数のトーンのうちの前記トーンのサブセットへ送信する、Ｃ４１に記載のコンピュータ可読媒体。
[Ｃ４４]  前記複数のグループのうちの各グループが、前記複数の時空間ストリームのうちの２つの時空間ストリーム、または前記複数の時空間ストリームのうちの４つの時空間ストリームのいずれかを含む、Ｃ４３に記載のコンピュータ可読媒体。
[Ｃ４５]  ＮTFの値が、ＮSTSの値の約半分、またはＮSTSの前記値の約１／４のいずれかである、Ｃ４１に記載のコンピュータ可読媒体。
[Ｃ４６]  前記プリアンブルと前記ペイロードの両方が、少なくとも１．６μｓまたは少なくとも１２．８μｓのいずれかのシンボル持続時間を用いて送信される、Ｃ４１に記載のコンピュータ可読媒体。
[Ｃ４７]  複数のトーンにわたるＮSTS個の時空間ストリームを介してパケットのプリアンブルを送信するための手段と、前記プリアンブルが、前記複数の時空間ストリームの各々に対するチャネル推定のために使用されるように構成されたＮTF個のトレーニングフィールドを含み、ただし、ＮSTSが１よりも大きく、ＮTFがＮSTSよりも小さい、
前記ＮSTS個の時空間ストリームを介して前記パケットのペイロードを送信するための手段と
を備えるワイヤレス通信装置。
[Ｃ４８]  前記複数の時空間ストリームのうちの前記時空間ストリームの各々が、前記複数のトーンのサブセットで送信されるように、および前記複数のトーンのうちの各トーンが、前記複数の時空間ストリームのうちの厳密に１つによって続けて送信されるように、前記ＮTF個のトレーニングフィールドの各々が、前記複数のトーンを介して送信されるトーンインターリーブされたトレーニングフィールドである、Ｃ４７に記載のワイヤレス通信装置。
[Ｃ４９]  前記ＮTF個のトレーニングフィールドの各々が、前記複数のトーンを介して送信され、ここで、前記複数の時空間ストリームの各々が、複数のグループのうちのグループの一部であり、各グループが、直交行列に基づいて、前記複数のトーンのうちの前記トーンのサブセットへ送信する、Ｃ４７に記載のワイヤレス通信装置。
[Ｃ５０]  前記複数のグループのうちの各グループが、前記複数の時空間ストリームのうちの２つの時空間ストリーム、または前記複数の時空間ストリームのうちの４つの時空間ストリームのいずれかを含む、Ｃ４９に記載のワイヤレス通信装置。
[Ｃ５１]  ＮTFの値が、ＮSTSの値の約半分、またはＮSTSの前記値の約１／４のいずれかである、Ｃ４７に記載のワイヤレス通信装置。
[Ｃ５２]  前記プリアンブルと前記ペイロードの両方が、少なくとも１．６μｓまたは少なくとも１２．８μｓのいずれかのシンボル持続時間を用いて送信される、Ｃ４７に記載のワイヤレス通信装置。
[Ｃ５３]  ワイヤレス通信ネットワーク上でパケットを送信する方法であって、
複数のトーンにわたるＮSTS個の時空間ストリームを介して前記パケットのプリアンブルを送信することと、前記プリアンブルが、前記複数の時空間ストリームの各々に対するチャネル推定のために使用されるように構成されたＮTF個のトレーニングフィールドを含み、ここで、前記ＮSTS個の時空間ストリームのサブセットが、各トーンにおいてアクティブである、
前記ＮSTS個の時空間ストリームを介して前記パケットのペイロードを送信することと
を備える方法。
[Ｃ５４]  前記ＮTF個のトレーニングフィールドの各々が、前記複数のトーンを介して送信され、ここで、前記複数の時空間ストリームの各々が、複数のＮg個のグループのうちのグループの一部であり、各グループが、直交行列に基づいて、前記複数のトーンのうちの前記トーンのサブセットへ送信する、Ｃ５３に記載の方法。
[Ｃ５５]  トレーニングフィールドごとに、各トーンが、サイズがＮSTS／ＮgにＮSTS／ＮgのＰ行列の列によってマスキングされる、Ｃ５４に記載の方法。
[Ｃ５６]  ＮgがＮSTSに等しく、単一のトレーニングフィールドが、前記複数のトーンにわたってインターリーブされた前記複数の時空間ストリームを介して送信される、Ｃ５４に記載の方法。
[Ｃ５７]  ＮSTSがＮgの整数倍でなく、各時空間スチームが、前記複数のトーンのうちの平均してＮg／ＮSTS個で現われる、Ｃ５４に記載の方法。
[Ｃ５８]  ＮSTSがＮgの整数倍でなく、各時空間スチームが、前記複数のトーンのうちの平均してＮg個で現われる、Ｃ５４に記載の方法。
[Ｃ５９]  すべての奇数トーンは時空間ストリームの第１のサブセットを投入され、すべての偶数トーンは時空間ストリームの第２のサブセットを投入される、Ｃ５３に記載の方法。
[Ｃ６０]    複数のトーンにわたるＮSTS個の時空間ストリームを介してパケットのプリアンブルを生成することと、前記プリアンブルが、前記複数の時空間ストリームの各々に対するチャネル推定のために使用されるように構成されたＮTF個のトレーニングフィールドを含み、ここで、前記ＮSTS個の時空間ストリームのサブセットが、各トーンにおいてアクティブである、
前記ＮSTS個の時空間ストリームを介して送信されるべき前記パケットのペイロードを生成することと
を行うように構成されたプロセッサと、
前記パケットを送信するように構成された送信機と
を備えるワイヤレス通信装置。
[Ｃ６１]  前記ＮTF個のトレーニングフィールドの各々が、前記複数のトーンを介して送信され、ここで、前記複数の時空間ストリームの各々が、複数のＮg個のグループのうちのグループの一部であり、各グループが、直交行列に基づいて、前記複数のトーンのうちの前記トーンのサブセットへ送信する、Ｃ６０に記載のワイヤレス通信装置。
[Ｃ６２]  トレーニングフィールドごとに、各トーンが、サイズがＮSTS／ＮgにＮSTS／ＮgのＰ行列の列によってマスキングされる、Ｃ６１に記載のワイヤレス通信装置。
[Ｃ６３]  ＮgがＮSTSに等しく、単一のトレーニングフィールドが、前記複数のトーンにわたってインターリーブされた前記複数の時空間ストリームを介して送信される、Ｃ６１に記載のワイヤレス通信装置。
[Ｃ６４]  ＮSTSがＮgの整数倍でなく、各時空間スチームが、前記複数のトーンのうちの平均してＮg／ＮSTS個で現われる、Ｃ６１に記載のワイヤレス通信装置。
[Ｃ６５]  ＮSTSがＮgの整数倍でなく、各時空間スチームが、前記複数のトーンのうちの平均してＮg個で現われる、Ｃ６１に記載のワイヤレス通信装置。
[Ｃ６６]  すべての奇数トーンは時空間ストリームの第１のサブセットを投入され、すべての偶数トーンは時空間ストリームの第２のサブセットを投入される、Ｃ６０に記載のワイヤレス通信装置。
[Ｃ６７]  実行されたとき、ワイヤレス通信ネットワークを介してパケットを送信する方法をデバイスの中のプロセッサに実行させる命令を備える非一時的コンピュータ可読媒体であって、前記方法が、
複数のトーンにわたるＮSTS個の時空間ストリームを介して前記パケットのプリアンブルを送信することと、前記プリアンブルが、前記複数の時空間ストリームの各々に対するチャネル推定のために使用されるように構成されたＮTF個のトレーニングフィールドを含み、ここで、前記ＮSTS個の時空間ストリームのサブセットが、各トーンにおいてアクティブである、
前記ＮSTS個の時空間ストリームを介して前記パケットのペイロードを送信することと
を備える、非一時的コンピュータ可読媒体。
[Ｃ６８]  前記ＮTF個のトレーニングフィールドの各々が、前記複数のトーンを介して送信され、ここで、前記複数の時空間ストリームの各々が、複数のＮg個のグループのうちのグループの一部であり、各グループが、直交行列に基づいて、前記複数のトーンのうちの前記トーンのサブセットへ送信する、Ｃ６７に記載のコンピュータ可読媒体。
[Ｃ６９]  トレーニングフィールドごとに、各トーンが、サイズがＮSTS／ＮgにＮSTS／ＮgのＰ行列の列によってマスキングされる、Ｃ６８に記載のコンピュータ可読媒体。
[Ｃ７０]  ＮgがＮSTSに等しく、単一のトレーニングフィールドが、前記複数のトーンにわたってインターリーブされた前記複数の時空間ストリームを介して送信される、Ｃ６８に記載のコンピュータ可読媒体。
[Ｃ７１]  ＮSTSがＮgの整数倍でなく、各時空間スチームが、前記複数のトーンのうちの平均してＮg／ＮSTS個で現われる、Ｃ６８に記載のコンピュータ可読媒体。
[Ｃ７２]  ＮSTSがＮgの整数倍でなく、各時空間スチームが、前記複数のトーンのうちの平均してＮg個で現われる、Ｃ６８に記載のコンピュータ可読媒体。
[Ｃ７３]  すべての奇数トーンは時空間ストリームの第１のサブセットを投入され、すべての偶数トーンは時空間ストリームの第２のサブセットを投入される、Ｃ６７に記載のコンピュータ可読媒体。
[Ｃ７４]  複数のトーンにわたるＮSTS個の時空間ストリームを介してパケットのプリアンブルを送信するための手段と、前記プリアンブルが、前記複数の時空間ストリームの各々に対するチャネル推定のために使用されるように構成されたＮTF個のトレーニングフィールドを含み、ここで、前記ＮSTS個の時空間ストリームのサブセットが、各トーンにおいてアクティブである、
前記ＮSTS個の時空間ストリームを介して前記パケットのペイロードを送信するための手段と
を備えるワイヤレス通信装置。
[Ｃ７５]  前記ＮTF個のトレーニングフィールドの各々が、前記複数のトーンを介して送信され、ここで、前記複数の時空間ストリームの各々が、複数のＮg個のグループのうちのグループの一部であり、各グループが、直交行列に基づいて、前記複数のトーンのうちの前記トーンのサブセットへ送信する、Ｃ７４に記載のワイヤレス通信装置。
[Ｃ７６]  トレーニングフィールドごとに、各トーンが、サイズがＮSTS／ＮgにＮSTS／ＮgのＰ行列の列によってマスキングされる、Ｃ７５に記載のワイヤレス通信装置。
[Ｃ７７]  ＮgがＮSTSに等しく、単一のトレーニングフィールドが、前記複数のトーンにわたってインターリーブされた前記複数の時空間ストリームを介して送信される、Ｃ７５に記載のワイヤレス通信装置。
[Ｃ７８]  ＮSTSがＮgの整数倍でなく、各時空間スチームが、前記複数のトーンのうちの平均してＮg／ＮSTS個で現われる、Ｃ７５に記載のワイヤレス通信装置。
[Ｃ７９]  ＮSTSがＮgの整数倍でなく、各時空間スチームが、前記複数のトーンのうちの平均してＮg個で現われる、Ｃ７５に記載のワイヤレス通信装置。
[Ｃ８０]  すべての奇数トーンは時空間ストリームの第１のサブセットを投入され、すべての偶数トーンは時空間ストリームの第２のサブセットを投入される、Ｃ７４に記載のワイヤレス通信装置。